(57)【特許請求の範囲】
【請求項１】
巻きたばこのパケット（１）であって、
もぎ取りトップ部分（３１）を画定する少なくともひとつのもぎ取り線（３２）を有するラッピング材のシート（２９）にラップされた巻きたばこの一群（３０）によって画定される内側パッケージ（２）と、
内側パッケージ（２）を収容し、もぎ取りトップ部分（３１）へのアクセスのための取り出し開口（１０）を有する内側容器（４）と、
内側容器（４）をスライド式に収容する外側容器（５）であって、内側容器（４）が外側容器（５）に対して、内側容器（４）が外側容器（５）の内側に挿入された閉じた位置と、内側容器（４）が外側容器（５）から部分的に引き出された開いた位置の間でスライドすることを可能にする外側容器（５）と、を備え、
巻きたばこのパケット（１）は、
内側容器（４）に少なくともひとつのもぎ取り線（４８）によって結合され、取り出し開口（１０）の少なくとも一部分を覆うもぎ取り蓋（４５）を備え、
もぎ取り蓋（４５）がＵ字状であり、内側パッケージ（２）のトップ壁面を覆うトップ壁面（４６）と、内側パッケージ（２）の２つの大きい側壁の一部分を覆い、内側容器（４）の２つの大きい側壁（８）と同一平面にある２つの側壁（４７）と、を含むことを特徴とする巻きたばこのパケット（１）。
【請求項２】
内側容器（４）が何もトップ壁面（７）をもたず、したがって、いったんもぎ取り蓋（４５）が除去されると内側パッケージ（２）のトップ壁面が完全に露出することを特徴とする請求項１に記載の巻きたばこのパケット（１）。
【請求項３】
もぎ取り蓋（４５）のトップ壁面（４６）はいかなる仕方でも内側容器（４）に結合されず、もぎ取り蓋（４５）の各側壁（４７）は内側容器（４）のそれぞれの大きい側壁（８）に少なくともひとつのもぎ取り線（４８）に沿って結合していることを特徴とする請求項１又は２に記載の巻きたばこのパケット（１）。
【請求項４】
もぎ取り蓋（４５）の第１の側壁（４７）が単一のＵ字状のもぎ取り線（４８）に沿って内側容器（４）の大きい側壁（８）に結合し、もぎ取り蓋（４５）の第２の側壁（４７）が第２の側壁（４７）の対向する側にある２つのもぎ取り線（４８）に沿って内側容器（４）の大きい側壁（８）に結合していることを特徴とする請求項３に記載の巻きたばこのパケット（１）。
【請求項５】
もぎ取り蓋（４５）は取り出し開口（１０）の少なくとも一部を覆われずに残してグリップを形成し、それをつかんでもぎ取り蓋（４５）を容易に除去するようにしたことを特徴とする請求項１〜４のいずれか１項に記載の巻きたばこのパケット（１）。
【請求項６】
もぎ取り蓋（４５）のトップ壁面（４６）は内側パッケージ（２）のトップ壁面より小さいことを特徴とする請求項５に記載の巻きたばこのパケット（１）。
【請求項７】
もぎ取り蓋（４５）によって覆われずに残された取り出し開口の少なくともひとつの部分が内側容器（４）の大きい側壁（８）上にあることを特徴とする請求項５又は６に記載の巻きたばこのパケット（１）。
【請求項８】
もぎ取り蓋（４５）が内側容器（４）の大きい側壁（８）上に対称にある取り出し開口（１０）の２つの別々の部分を覆われずに残す、又はもぎ取り蓋（４５）が内側容器（４）のひとつの大きい側壁（８）上に非対称にある取り出し開口（１０）のひとつの部分だけを覆われずに残すことを特徴とする請求項７に記載の巻きたばこのパケット（１）。
【請求項９】
もぎ取り蓋（４５）は２つの別々のパネル（４５’，４５”）を重ねてのり付けすることによって形成されることを特徴とする請求項１〜８のいずれか１項に記載の巻きたばこのパケット（１）。
【請求項１０】
もぎ取り蓋（４５）が内側パッケージ（２）のもぎ取りトップ部分（３１）にのり付けされることを特徴とする請求項１〜９のいずれか１項に記載の巻きたばこのパケット（１）。
【請求項１１】
内側パッケージ（２）のもぎ取りトップ部分（３１）がラッピング材のシート（２９）の２つの別々の重なる部分（３１ａ，３１ｂ）によって画定されることを特徴とする請求項１〜１０のいずれか１項に記載の巻きたばこのパケット（１）。
【請求項１２】
ラッピング材のシート（２９）の２つの重なる部分（３１ａ，３１ｂ）が互いにのり付けされることを特徴とする請求項１１に記載の巻きたばこのパケット（１）。
【請求項１３】
巻きたばこの一群（３０）は実質的に矩形断面を有する直方体の形であり、巻きたばこの円筒状側壁によって画定される２つの平行な、対向する大きい側壁（３４）と、巻きたばこの円筒状側壁によって画定される２つの平行な、対向する小さい側壁（３５）と、巻きたばこの平らな端部によって画定される２つの平行な、対向する端壁（３６）を有し、４つの長手方向エッジ（３７）が２つの大きい側壁（３４）と２つの小さい側壁（３５）の間に画定され、４つの大きい横方向エッジ（３８）が２つの大きい側壁（３４）と２つの端壁（３６）の間に画定され、４つの小さい横方向エッジ（３９）が２つの小さい側壁（３５）と２つの端壁（３６）の間に画定され、
ラッピング材のシート（２９）は巻きたばこの一群（３０）のまわりで折られ、ラッピング材のシート（２９）の２つの対向するフラップ（４０，４１）を重ねて巻きたばこの一群（３０）を４つの側面すべてで継ぎ目なしに包む管状ラッピングを形成し、巻きたばこの一群（３０）の小さい側壁（３５）で２つの側端を有し、それを折って内側パッケージ（２）を完成させ、
もぎ取りトップ部分（３１）はラッピング材のシート（２９）の単一部分上に継ぎ目なしに伸び、
ラッピング材のシート（２９）の対向するフラップ（４０，４１）は巻きたばこの一群（３０）の第１の大きい側壁（３４ａ）上でのみ重ねられる、
ことを特徴とする請求項１〜１２のいずれか１項に記載の巻きたばこのパケット（１）。
【請求項１４】
もぎ取りトップ部分（３１）に関わる該巻きたばこの一群（３０）の第１の小さい横方向エッジ（３９ａ）で、ラッピング材のシート（２９）が、もぎ取りトップ部分（３１）の一部から形成され、第１の小さい横方向エッジ（３９ａ）にまたがるタブ（３３）を有することを特徴とする請求項１３に記載の巻きたばこのパケット（１）。
【請求項１５】
タブ（３３）が巻きたばこの一群（３０）の第１の端壁（３６ｂ）上に折られることを特徴とする請求項１４に記載の巻きたばこのパケット（１）。
【請求項１６】
巻きたばこのパケットであって、
ラッピング材のシート（２９）のひとつの部分上に継ぎ目なしに延びるもぎ取りトップ部分（３１）を画定するもぎ取り線（３２）を有するラッピング材のシート（２９）でラップされた巻きたばこの一群（３０）によって画定される内側パッケージ（２）と、
内側パッケージ（２）を収容する剛い外側パッケージ（３）と、を備え、
巻きたばこの一群（３０）は実質的に矩形断面を有する直方体の形であり、巻きたばこの円筒状側壁によって画定される２つの平行な、対向する大きい側壁（３４）と、巻きたばこの円筒状側壁によって画定される２つの平行な、対向する小さい側壁（３５）と、巻きたばこの平らな端部によって画定される２つの平行な、対向する端壁（３６）を有し、４つの長手方向エッジ（３７）が２つの大きい側壁（３４）と２つの小さい側壁（３５）の間に画定され、４つの大きい横方向エッジ（３８）が２つの大きい側壁（３４）と２つの端壁（３６）の間に画定され、４つの小さい横方向エッジ（３９）が２つの小さい側壁（３５）と２つの端壁（３６）の間に画定され、
ラッピング材のシート（２９）が巻きたばこの一群（３０）のまわりでラッピング材のシート（２９）の２つの対向するフラップ（４０，４１）を重ねるように折られて、巻きたばこの一群（３０）を継ぎ目なしに４つの側面すべてで包み、巻きたばこの一群（３０）の小さい側壁（３５）で２つの開いた側端（４２，４３）を有する管状ラッピングを形成し、巻きたばこの一群（３０）の該小さい側壁（３５）で、２つの側端が折られて内側パッケージ（２）が完成される巻きたばこのパケット（１）において、
管状ラッピングの２つの側端を折る前に、管状ラッピングが形成されるとき、ラッピング材のシート（２９）の対向するフラップ（４０，４１）は巻きたばこの一群（３０）の第１の大きい側壁（３４ａ）上にのみ重ねられる、
ことを特徴とする巻きたばこのパケット（１）。
【請求項１７】
巻きたばこの一群（３０）のもぎ取りトップ部分（３１）に関わる第１の小さい横方向エッジ（３９ａ）で、ラッピング材のシート（２９）にもぎ取りトップ部分（３１）の一部から該第１の小さい横方向エッジ（３９ａ）をまたいでタブ（３３）が形成されていることを特徴とする請求項１６に記載の巻きたばこのパケット。
【請求項１８】
タブ（３３）が巻きたばこの一群（３０）の第１の端壁（３６ｂ）上に折られることを特徴とする請求項１７に記載の巻きたばこのパケット。
【請求項１９】
タブ（３３）が巻きたばこの一群（３０）の第１の端壁（３６ｂ）を覆うもぎ取りトップ部分（３１）の残りの部分に一時的に固定されることを特徴とする請求項１８に記載の巻きたばこのパケット。
【請求項２０】
タブ（３３）ともぎ取りトップ部分（３１）の残りの部分の間に弱粘着のりが塗布されてタブ（３３）をもぎ取りトップ部分（３１）の残りの部分に一時的に固定することを特徴とする請求項１９に記載の巻きたばこのパケット。
【請求項２１】
さらに、弱粘着のりが塗布されたもぎ取りステッカー（４４）がタブ（３３）ともぎ取りトップ部分（３１）の残りの部分の上に貼付されてタブ（３３）をもぎ取りトップ部分（３１）の残りの部分に一時的に固定することを特徴とする請求項１９に記載の巻きたばこのパケット。
【請求項２２】
さらに、タブ（３３）ともぎ取りトップ部分（３１）の残りの部分にのり付けされてタブ（３３）をもぎ取りトップ部分（３１）の残りの部分に永久的に固定するもぎ取りステッカー（４４）を備える請求項１９に記載の巻きたばこのパケット。
【請求項２３】
ステッカー（４４）はタブ（３３）及び／又はもぎ取りトップ部分（３１）の残りの部分にのり付けされないグリップフラップを有することを特徴とする請求項２１又は２２に記載の巻きたばこのパケット。
【請求項２４】
外側パッケージ（３）が内側パッケージ（２）のもぎ取りトップ部分（３１）に重ねられているもぎ取り蓋（４５）を備えるか、又はもぎ取りステッカー（４４）が内側パッケージ（２）のもぎ取りトップ部分（３１）に重ねられていることを特徴とする請求項１６〜２１のいずれか１項に記載の巻きたばこのパケット。
【請求項２５】
外側パッケージ（３）のもぎ取り蓋（４５）又はもぎ取りステッカー（４４）が内側パッケージ（２）のもぎ取りトップ部分（３１）にのり付けされていることを特徴とする請求項２４に記載の巻きたばこのパケット。
【請求項２６】
外側パッケージ（３）が内側パッケージ（２）を収容する内側容器（４）と、内側容器（４）をスライド式に収容する外側容器（５）とを含み、内側容器（４）は、内側容器（４）が外側容器（５）の内側に挿入された閉じた位置と、内側容器（４）が少なくとも部分的に外側容器（５）から引き出された開いた位置の間でスライドすることを可能にしていることを特徴とする請求項１６〜２５のいずれか１項に記載の巻きたばこのパケット。
【発明の詳細な説明】
【技術分野】
【０００１】
本発明は巻きたばこパケット、及び巻きたばこのパケット製法に関する。
本発明は、部分的に分離できる２つの容器が互いに挿入されるスライドオープン型の巻きたばこパケットを製造するのに特に好適であるが、それに関する以下の記載は純粋に例示的なものである。
【背景技術】
【０００２】
巻きたばこの剛いスライドオープン型パケットは、その中に内側パッケージ（一群の巻きたばこがホイル内側ラッピング材のシートでラップされることで画定される）が収容された第１の容器を備え、それが第２の容器の内側に収容されて、第２の容器に対して第１の容器は、第１の容器が第２の容器の内側に挿入された閉じた位置と、第１の容器が第２の容器から部分的に引き出された開いた位置の間でスライドするようになっている。第１の容器は第２の容器に対して直線的にスライドしても、２つの容器を結合するヒンジのまわりでスイング（swing）してもよい。巻きたばこの直線的な剛いスライドオープン型パケットは、特許文献１、特許文献２、特許文献３及び特許文献４に記載されている。巻きたばこの剛いスイングオープン型パケットは特許文献５に記載されている。
【０００３】
内側ホイルラッピング材のシートは、いわゆるもぎとりラインで限られているもぎ取りトップ部分を有し、パケットのシールを破るとそれをもぎ取って巻きたばこにアクセスできる。剛いスライドオープン型の巻きたばこパケットの場合、内側パッケージの上部の壁の一部だけにユーザーがアクセスできるので（この点は、従来の剛いふたがヒンジで開く巻きたばこパケットと異なる）、もぎ取られるトップ部分も内側パッケージの上部の壁の限られた部分だけになる。
【０００４】
ホイル内側ラッピング材のシートは、常に細長い矩形の形で、最初に一群の巻きたばこのまわりでＵ字状に折られる。巻きたばこパケットを製造する包装機械の設計によって、ホイル内側ラッピング材のシートは最初に一群の巻きたばこのまわりで横に又は縦に折られる。剛いスライドオープン型巻きたばこパケットの内側ラッピング材のシートが最初に一群の巻きたばこのまわりで横にＵ字状に折られる場合、もぎ取りトップ部分は内側ラッピング材のシートのもぎ取り線で限られる部分によって画定される。
【０００５】
逆に、剛いスライドオープン型巻きたばこパケットの内側ラッピング材のシートが最初に一群の巻きたばこのまわりで縦にＵ字状に折られる場合、もぎ取りトップ部分は内側ラッピング材のシートの２つの別々の部分によって画定され、それらはシートの互いに反対な端にあって２つの対応するもぎ取りラインで限られる。これは、例えば、特許文献３に記載されている。内側ラッピング材のシートの２つの別々の部分から成るもぎ取りトップ部分は、パケットのシールを破るときにユーザーに、１回の操作ではなく２回の引き続く操作（もぎ取りトップ部分の各々に１回）を強いるので実際的でない。
【０００６】
さらに、剛いスライドオープン型巻きたばこパケットのもぎ取りトップ部分のそれぞれは内側パッケージの他の部分を持ち上げて外側容器の内面につまって、パケットのシールを破ることを（包装材を破らずには不可能ではないとしても）難しくする。（この問題はパケットのシールを破るときだけにあてはまり、いったんシールを破ってしまえばもぎ取りトップ部分は除去される）。
特許文献６は、たばこの複数のパックを有し、シェルとスライド構造を含む箱を開示する。シェルの一端は、使用者がたばこのパックを含む蓋をしたスライドを開放位置まで押すことを許容するために部分的に開放する。
特許文献７は、剛いパケットの側面部分のみを覆うヒンジ付きの蓋を有する剛いパケットと、剛いパケットの上部全体を覆うヒンジ付きの蓋を有する剛いパケットの両方の場合において、直線のもぎとり線を有する一群のたばこの周囲でパック材料のシートを折り曲げる方法を開示する。
【先行技術文献】
【特許文献】
【０００７】
【特許文献１】仏国特許出願公開第２４９９９４７号明細書
【特許文献２】米国特許第４５３４４６３号明細書
【特許文献３】米国特許第５０８０２２７号明細書
【特許文献４】伊国１１６９１６３号明細書
【特許文献５】国際公開第２００６０２１５８１号パンフレット
【特許文献６】国際公開第２００００１０８９２号パンフレット
【特許文献７】国際公開第２００７１２８８２２号パンフレット
【発明の概要】
【発明が解決しようとする課題】
【０００８】
本発明の目的は、上記の欠点をなくすように設計され、同時に安価であり、容易に実現できる巻きたばこのパケット及び巻きたばこのパケットの製法を提供することである。
【課題を解決するための手段】
【０００９】
本発明によれば、添付された特許請求の範囲で言われているような巻きたばこのパケット及び巻きたばこのパケットの製法が提供される。
【００１０】
本発明のいくつかの非限定的な実施形態が添付図面を参照して実例によって説明される。
【図面の簡単な説明】
【００１１】
【図１】剛い、直線的なスライドオープン型の巻きたばこパケットを閉じた形態で示す前方からの斜視図である。
【図２】図１の巻きたばこパケットを開いた形態で示す前方からの斜視図である。
【図３】図１の巻きたばこパケットを前方から示す分解斜視図である。
【図４】図１の巻きたばこパケットの内側容器を形成するためのブランクを示す平面図である。
【図５】図１の巻きたばこパケットの外側容器を形成するためのブランクを示す平面図である。
【図６】図１の巻きたばこパケットの内側パッケージのトップ壁面を示す平面図である。
【図７】図６の内側パッケージを形成するための内側ラッピング材のシートを示す平面図である。
【図８】図６の内側パッケージに収められた一群の巻きたばこを示す斜視図である。
【図９】図７の内側ラッピング材のシートを図８の一群の巻きたばこのまわりで折り曲げて図６の内側パッケージを形成する一連のステップを示す斜視図である。
【図１０】図７の内側ラッピング材のシートを図８の一群の巻きたばこのまわりで折り曲げて図６の内側パッケージを形成する一連のステップを示す斜視図である。
【図１１】図７の内側ラッピング材のシートを図８の一群の巻きたばこのまわりで折り曲げて図６の内側パッケージを形成する一連のステップを示す斜視図である。
【図１２】図７の内側ラッピング材のシートを図８の一群の巻きたばこのまわりで折り曲げて図６の内側パッケージを形成する一連のステップを示す斜視図である。
【図１３】図７の内側ラッピング材のシートを図８の一群の巻きたばこのまわりで折り曲げて図６の内側パッケージを形成する一連のステップを示す斜視図である。
【図１４】図７の内側ラッピング材のシートを図８の一群の巻きたばこのまわりで折り曲げて図６の内側パッケージを形成する一連のステップを示す斜視図である。
【図１５】図７の内側ラッピング材のシートを図８の一群の巻きたばこのまわりで折り曲げて図６の内側パッケージを形成する一連のステップを示す斜視図である。
【図１６】図７の内側ラッピング材のシートを図８の一群の巻きたばこのまわりで折り曲げて図６の内側パッケージを形成する一連のステップを示す斜視図である。
【図１７】図７の内側ラッピング材のシートを図８の一群の巻きたばこのまわりで折り曲げて図６の内側パッケージを形成する一連のステップを示す斜視図である。
【図１８】図７の内側ラッピング材のシートを図８の一群の巻きたばこのまわりで折り曲げて図６の内側パッケージを形成する一連のステップを示す斜視図である。
【図１９】図７の内側ラッピング材のシートを図８の一群の巻きたばこのまわりで折り曲げて図６の内側パッケージを形成する一連のステップを示す斜視図である。
【図２０】図１の巻きたばこパケットの開いた形態のバリエーションを示す前方からの斜視図である。
【図２１】図１の巻きたばこパケットの開いた形態の別のバリエーションを示す前方からの斜視図である。
【図２２】図２１の内側容器を形成するための図４のブランクのバリエーションを示す平面図である。
【図２３ａ】図１の巻きたばこパケットの別のバリエーションを開いた形態で、内側パッケージのもぎ取りふたを、それぞれ、つけた状態ととった状態で示す前方からの斜視図である。
【図２３ｂ】図１の巻きたばこパケットの別のバリエーションを開いた形態で、内側パッケージのもぎ取りふたを、それぞれ、つけた状態ととった状態で示す前方からの斜視図である。
【図２４】図２３の巻きたばこパケットの内側パッケージを示す前面からの斜視図である。
【図２５】図２４の内側パッケージを形成するための内側ラッピング材のシートを示す平面図である。
【図２６】図１の巻きたばこパケットの別のバリエーションを開いた形態で示す前面からの斜視図である。
【図２７】図２６の巻きたばこパケットの内側パッケージを示す前面からの斜視図である。
【図２８】図２７の内側パッケージを形成するための内側ラッピング材のシートを示す平面図である。
【図２９】図１の巻きたばこパケットの別のバリエーションを開いた形態で示す前面からの斜視図である。
【図３０】図１の巻きたばこパケットの別のバリエーションを開いた形態で示す前面からの斜視図である。
【図３１】剛い、スイングオープン型の巻きたばこパケットを閉じた形態で示す前面からの斜視図である。
【図３２】図３１の巻きたばこパケットを開いた形態で示す前面からの斜視図である。
【図３３】図３１の巻きたばこパケットを開いた形態で、内側パッケージのトップ壁面を覆うもぎ取りふたを除去した状態で示す前面からの斜視図である。
【図３４】図３１の巻きたばこパケットの内側容器を形成するためのブランクを示す平面図である。
【図３５】図３１の巻きたばこパケットの外側容器を形成するためのブランクを示す平面図である。
【図３６】剛い、直線的なスライドオープン型の巻きたばこパケットの内側容器を形成するための、図３４のブランクのバリエーションを示す平面図である。
【図３７】剛い、直線的なスライドオープン型の巻きたばこパケットの外側容器を形成するための、図３５のブランクのバリエーションを示す平面図である。
【発明を実施するための形態】
【００１２】
図１の参照数字１は、剛い、直線的なスライドオープン型の巻きたばこパケットを全体として示す。
【００１３】
図１に示された巻きたばこのパケット１は、ホイルの内側ラッピング材のシートでラップされた一群の巻きたばこによって画定される内側パッケージ２と、ボール紙又は同様なもので作られて内側パッケージ２を収める剛い外側パッケージ３を含む。外側パッケージはさらに、実際に内側パッケージ２を収める剛い内側容器４と、内側容器４を収容する剛い外側容器５を含み、外側容器５は内側容器４が外側容器５に対して、内側容器が完全に外側容器の内部にある閉じた位置（図１）と、内側容器４が外側容器５から一部引き出されてユーザーが内側パッケージ２に直接アクセスできる開いた位置（図２）の間で直線的な動き（平行移動）でスライドすることを可能にする。
【００１４】
図３に示されるように、内側容器４は直方体の形であり、ボトム壁面６，トップ壁面７，２つの対向する平行な大きい側壁８，及び大きい側壁８の間に介在する２つの小さな側壁９ａ，９ｂを有する。小さな側壁９ａの近くで、トップ壁面７は取り出し開口１０を有し、それは大きな側壁８の一部まで伸び、内側容器４が開いた位置にあるときにそれは外側容器５の外側にあって、ユーザーが内側パッケージ２を開けて内側容器４から巻きたばこを取り出すことを可能にする。大きな側壁８のそれぞれには、小さな側壁９ｂの近くに保持タブ１１が切り込まれ、大きな側壁８と小さな側壁９ｂの間のエッジから内側容器４の外へ突出している。大きな側壁８と小さな側壁９の間で４つの長手方向のエッジが画定され、側壁８，９と壁面６，７の間で８つの横方向のエッジが画定される。
【００１５】
図３に示されるように、外側容器５も直方体の形で、ボトム壁面１２，トップ壁面１３，２つの対向する平行な大きい側壁１４，小さな側壁１５、及び小さな側壁１５の反対側にあり内側容器４がそれを通ってスライドする開口１６を有する。保持タブ１７が開口１６を限る大きな側壁１４のそれぞれのエッジに結合され、それぞれの大きい側壁１４から外側容器５の内側へ突出し、内側容器が引き出されると内側容器４の対応する保持タブ１１と係合して内側容器４の外側への移動を限定し、それが外側容器５から完全に脱離することを阻止する。２つの長手方向エッジが大きい側壁１４と小さい側壁１５の間に画定され、６つの横方向のエッジが側壁１４，１５と壁面１２，１３の間で画定される。
【００１６】
外側容器５の小さい側壁１５は、ユーザーが小さい側壁１５を通して、内側容器の小さい側壁９ｂに内側容器４を開いた位置へスライドさせる圧力を加えられるような形とサイズの中央の穴を有する。
【００１７】
ある実施形態では、付着が弱い非乾燥のり（すなわち、非永久的でパーツを繰り返し引きはがして再びくっつけることができて付着力を失わないのり）が外側容器５の小さい側壁１５と内側容器４の小さい側壁９ｂ（すなわち、閉じた位置で外側容器５の小さい側壁１５に突き当たる小さい側壁）の間に塗布されており、その結果、閉じた位置で、小さい側壁９ｂは小さい側壁１５に弱くのり付けされ、内側容器４を閉じた位置にしっかりと保持する。
【００１８】
図１−３の実施形態では、容器４と５の長手方向のエッジと横方向のエッジはすべて真直である。図示しない別の実施形態では、容器４と５のエッジの少なくともひとつは真直以外、すなわち丸められる又は面取りされている。
【００１９】
図１−３の巻きたばこパケット１の容器４と５は、図４と５にそれぞれ示されている公知のブランク１９と２０をそれぞれ折り曲げることによって形成される。ブランク１９と２０は、特にいくつかのパネルを含み、それらは可能な場合、容器４と５の対応する壁に対して同じ参照数字で上付き記号を用いて表される。
【００２０】
図４を参照すると、ブランク１９は、２つの長手方向の折り線２１と、いくつかの横方向折り線２２を有し、長手方向の折り線２１の間にトップ壁面７の一部を成すパネル７’、大きい側壁８を成すパネル８’、ボトム壁面６を成すパネル６’、別の大きい側壁８を成すパネル８’’、トップ壁面７の残りを成すパネル７’’を画定する。
【００２１】
パネル８’は２つの側方ウイング９’を有し、それらはそれぞれ小さい側壁９の内側部分を形成し、パネル８’の対向する辺にあり、長手方向の折り線２１によってパネル８’から分離される。パネル８’’は２つの側方ウイング９’’を有し、それらはそれぞれ小さい側壁９の外側部分を形成し、パネル８’’の対向する辺にあり、長手方向の折り線２１によってパネル８’’から分離される。パネル８’の各側方ウイング９’は横方向折り線２２によって側方ウイング９’から分離されるタブ２３を有する。保持タブ１１を画定するウインドーが各パネル８’、８’’に形成される。
【００２２】
図５を参照すると、ブランク２０は、２つの横方向折り線２４と、横方向折り線２４の間でひとつの大きい側壁１４を形成するパネル１４’；ひとつの小さい側壁１５を形成するパネル１５’；及びひとつの大きい側壁１４を形成するパネル１４’’；を画定するいくつかの長手方向折り線２５を有する。各パネル１４’、１４’’はパネル１５’と反対側にあり、それぞれのパネル１４’、１４’’から長手方向折り線２５によって分離されった保持タブ１７を有する。
【００２３】
パネル１４’は２つの矩形の端ウイング１２’と１３’を有し、それらはパネル１４’の対向する端にあり、横方向折り線２４によってパネル１４’から分離され、壁面１２と１３のそれぞれの外側部分を形成する。パネル１５’は２つの端ウイング１２’’と１３’’を有し、それらはパネル１５’の対向する端にあり、横方向折り線２４によってパネル１５’から分離され、三角形の形で外側頂点が丸められ、壁面１２と１３のそれぞれの内側部分を形成する。パネル１４’’は２つの台形の端ウイング１２”’と１３”’を有し、それらはパネル１４’’の対向する端にあり、横方向折り線２４によってパネル１４’’から分離され、壁面１２と１３のそれぞれの内側部分を形成する。端ウイング１２’’と１２”’及び１３’’と１３”’は、端ウイング１２’と１３’へ折られて外側容器５の壁面１２と１３を形成するときにオーバーラップしないように成形されている。
【００２４】
図６−８に示されるように、内側パッケージ２は矩形断面の直方体の形をし、秩序ある実質的に直方体の形で矩形断面の一群の巻きたばこ３０（図８）のまわりで折られたホイル内側ラッピング材の矩形シート２９（図７では拡げられた形で示されている）によって画定される。内側パッケージ２は単一もぎ取りトップ部分３１を有し、それはもぎ取りライン３２によって限られ、（図７に示されるように）ラッピング材のシート２９の単一部分上に継ぎ目なしに伸び、巻きたばこのパケット１のシールを破るともぎ取られて一群の巻きたばこ３０に容易にアクセスできるようになる。もぎ取りトップ部分３１は、好ましくはタブ３３を含み、それを内側パッケージ２のトップ壁面に圧しつけ、それをユーザーが持ち上げてつかみ、もぎ取りトップ部分３１を内側パッケージ２からもぎ取ることができる。言い換えると、タブ３３は（  ）から形成されてもぎ取りトップ部分３１と一体の部分を構成し、ユーザーが持ち上げてつかみ、引いてもぎ取りトップ部分３１を内側パッケージ２からはぎ取ることができる。
【００２５】
図７に示されるように、ラッピング材のシート２９は、細長い矩形の形をしており、２つの平行で対向する長い辺と、２つの平行で対向する短い辺を有する。
【００２６】
図８に示されるように、巻きたばこの一群３０は実質的に直方体の形で矩形断面を有し、巻きたばこの円筒状側壁で画定される２つの平行で対向する矩形の大きな側壁３４（図８にはひとつだけが示されている）と；大きな側壁３４より小さい、巻きたばこの円筒状側壁で画定される２つの平行で対向する矩形の小さい側壁３５（図８にはひとつだけが示されている）と；巻きたばこの平らな端で画定される２つの対向する矩形の端壁３６（図８にはひとつだけが示されている）を含む（もっと詳しく言うと、一方の端壁３６ａは巻きたばこのむき出しの端で画定され、他方の端壁３６ｂはフィルターチップが付いた端で画定される）。
【００２７】
４つの長手方向のエッジ３７が２つの大きな側壁３４と２つの小さな側壁３５の間で画定され；４つの大きな横方向エッジ３８が２つの大きな側壁３４と２つの端壁３６の間で画定され；４つの小さな横方向エッジ３９が２つの小さな側壁３５と２つの端壁３６の間で画定される。
【００２８】
ラッピング材のシート２９が巻きたばこの一群３０のまわりで折られて内側パッケージ２を形成する仕方を以下で図９−１９を参照して説明する。
【００２９】
最初に、図９に示されるように、巻きたばこの一群３０の大きな側壁のひとつ３４ｂを拡げられたラッピング材のシート２９に接触させて、巻きたばこの一群３０の長手方向エッジ３７がラッピング材のシート２９の長い辺と平行になり、巻きたばこの一群３０の横方向エッジ３８がラッピング材のシート２９の短い辺と平行になるようにする。巻きたばこの一群３０の大きな側壁３４ｂがラッピング材のシート２９の長い辺に対して中心で対称になるように配置するが、ラッピング材のシート２９の短い辺に対しては非対称になるように配置する（もっと詳しく言うと、センターライン上にもぎ取りトップ部分３１の方に近くなるように配置する）。次に、ラッピング材のシート２９を巻きたばこの一群３０のまわりで折り、ラッピング材のシート２９の２つの対向するフラップ４０と４１を重ねて管状のラッピングを形成し（図１３）、巻きたばこの一群３０を包み、巻きたばこの一群３０の小さな側壁３５に２つの開いた側方端４２，４３があるようにする。ラッピング材のシート２９の対向するフラップ４０と４１は、巻きたばこの一群３０の他方の大きな側壁３４ａ上で重なって、もぎ取りトップ部分３１が、例えば図２に示されるように、内側パッケージ２のトップ４分の１にあるようにする。
【００３０】
最後に（図１４−１７）、ラッピング材のシート２９の開いた側方端４２，４３を折り曲げて内側パッケージ２を完成させる。詳しく言うと、ラッピング材のシート２９を巻きたばこの一群３０の小さな横方向エッジ３９ａのまわりでもぎ取りトップ部分３１のところで折って、もぎ取りトップ部分３１の一部分で、タブ３３を小さな横方向エッジ３９ａをまたぐように形成する（図１７に示されるように）。
【００３１】
タブ３３を形成するために、ラッピング材のシート２９をもぎ取りトップ部分３１を含む開いた側方端４２で、最初に小さな横方向エッジ３９ａのまわりで折るのではなく、長手方向のエッジ３７ａのまわりで小さな側壁３５ａ上に折る（図１６）；次に開いた側方端４２で、第２の長手方向エッジ３７ｂのまわりで小さな側壁３５ａ上に折る。ある好ましい実施形態では、長手方向のエッジ３７ａのまわりで小さな側壁３５ａ上に折る前に、ラッピング材のシート２９は小さな側壁３５ａの小さな横方向エッジ３９ｂのまわりで折られる。
【００３２】
開いた側方端４３は、好ましくは、最初に２つの小さな横方向エッジ３９のまわりでラッピング材のシート２９を折り、次に２つの長手方向エッジ３７のまわりで折ることによって折られる。
【００３３】
上述のように、タブ３３は小さな横方向エッジ３９ａのまわりで巻きたばこの一群３０の端壁３６上へ（図１８に示されるように）折られる。ある好ましい実施形態では、タブ３３は巻きたばこの一群３０の端壁３６を覆うもぎ取りトップ部分３１の残りの部分に一時的に固定される。これは、タブ３３ともぎ取りトップ部分３１の残りの部分の間に弱粘着のり（すなわち、それぞれのパーツを容易に引きはがすことができる非永久のり）を塗布してタブ３３をもぎ取りトップ部分３１の残りの部分に一時的に固定することによって行われる；又は、弱粘着のり（すなわち、非永久的でパーツを繰り返し引きはがして再びくっつけることができて付着力を失わないのり）が塗布されたはぎ取りステッカー４４をタブ３３ともぎ取りトップ部分３１の上に貼って（図２０）、タブ３３をもぎ取りトップ部分３１の残りの部分に一時的に固定してもよい。ある変形例では、はぎ取りステッカー４４は、タブ３３ともぎ取りトップ部分３１の残りの部分に強粘着のり（すなわち、パーツを引き裂くしかない永久のり）で貼りつけられる。この場合、もぎ取りトップ部分３１とはぎ取りステッカー４４はユーザーによって同時に除去される。容易に除去するには、ステッカー４４にのりが付着していないグリップタブを設けてもよい（図示せず）。はぎ取りステッカー４４をタブ３３ともぎ取りトップ部分３１の残りの部分に強粘着のりでのり付けしてタブ３３ともぎ取りトップ部分３１の残りの部分に永久的に固定してもよい。
【００３４】
図２１に示される別の実施形態では、外側パッケージ３，特に外側パッケージ３の内側容器４は、巻きたばこのパケット１のシールを破るともぎ取られるもぎ取り蓋４５を備え、それが少なくとも部分的に内側容器４の取り出し開口１０を（したがってもぎ取りトップ部分３１のほぼ全体を）覆っている。
【００３５】
もぎ取り蓋４５はＵ字状で、内側容器４のトップ壁面７の自然な延長となるトップ壁面４６；及び内側容器４の大きな側壁８と同一平面にある２つの側壁４７を含む。もぎ取り蓋４５（すなわち、もぎ取り蓋４５のトップ壁面４６と側壁４７）は、もぎ取り線４８に沿って内側容器４の残りの部分に結合されている。詳しく言うと、もぎ取り蓋４５のトップ壁面４６はもぎ取り線４８に沿って内側容器４のトップ壁面７に結合されており、もぎ取り蓋４５の各側壁４７は、側壁４７の対向する辺上の２つのもぎ取り線４８に沿って内側容器４のそれぞれの大きい側壁８に結合されている。
【００３６】
ある好ましい実施形態では、取り出し開口１０の全体を覆う代わりに、もぎ取り蓋４５は取り出し開口１０の少なくとも一部を覆われないままに残してグリップを形成し、それによってもぎ取り蓋４５を容易につかんで除去できるようにする。もぎ取り蓋４５で覆われていない取り出し開口１０の各部分は、内側容器４のそれぞれの大きい側壁８上にあることが好ましい。このことは、もぎ取り蓋４５が取り出し開口１０の２つの別々の部分を覆われないままに残し、それが内側容器４のそれぞれの大きい側壁８上にあるということ、又は取り出し開口１０のひとつの部分だけを覆われないままに残し、それが内側容器４のひとつの大きい側壁８上に非対称にあるということを意味する。あるいはまた、又はそれに加えて、もぎ取り蓋４５のトップ壁面４６は内側パッケージ２のトップ壁面より小さく（図３２に示されるように）、別のグリップとなって、それをつかんでもぎ取り蓋４５を容易に除去できるようにする。
【００３７】
図２２に示されるように、もぎ取り蓋４５は２つの別々のパネル４５’と４５’’を重ねてのり付けして形成される。パネル４５’は横方向の折り線２２で分離される２つの部分４６’、４７’を含む；パネル４５’’は横方向の折り線２２で分離される２つの部分４６’’、４７’’を含む；そしてパネル４５’の部分４６’はパネル４５’’の部分４６’’に重ねられてのり付けされ、蓋４５のトップ壁面４６を形成する。
【００３８】
もぎ取り蓋４５はまた、巻きたばこの一群３０の端壁３６ｂを覆うもぎ取りトップ部分３１の残りの部分にタブ３３を圧しつけて保持する役目をする。ある実施形態では、もぎ取り蓋４５は、強粘着のり（すなわち、それぞれのパーツを引き裂くしかない永久のり）を用いて、内側パッケージ２のもぎ取りトップ部分３１にのり付けされ（すなわち、もぎ取り蓋４５の底面がもぎ取りトップ部分３１にのり付けされ）、もぎ取りトップ部分３１ともぎ取り蓋４５の両方をユーザーが同時に除去することができる。
【００３９】
図２３の実施形態は図１−２２の実施形態（特に図２１の実施形態）と、もぎ取りトップ部分３１の形態、及び内側ラッピング材のシート２９が巻きたばこの一群３０のまわりで折られる仕方が異なる。図２３の実施形態では、もぎ取りトップ部分３１はラッピング材のシート２９の内側部分に関わり、ラッピング材のシート２９はタブ３３を形成せずに折られる。図６と２５のラッピング材のシート２９の比較、及び図１８と２４の内側パッケージの比較から、図２３の実施形態と図１−２２の実施形態の違いがはっきりと示される。
【００４０】
図２３の実施形態でも、ラッピング材のシート２９は巻きたばこの一群３０のまわりで、フラップ４０と４１を巻きたばこの一群３０の大きい側壁３４ａ上で重ねるように折られ、もぎ取りトップ部分３１は、図２４に示されるように内側パッケージ２のトップ４分の１にあるということに注意することが重要である。
【００４１】
図２３の実施形態でも（図２１の実施形態と同様に）、もぎ取り蓋４５は内側パッケージ２のもぎ取りトップ部分３１に強粘着糊を用いてのり付けされ（又は熱シールされ）、もぎ取りトップ部分３１ともぎ取り蓋４５はユーザーによって同時に除去される。（図２３ｂは、もぎ取り蓋４５がもぎ取りトップ部分３１と共に除去されて巻きたばこが一群３０で内側パッケージ２の内側に露出している巻きたばこのパケット１を示す）。ある変形例では、図２３のもぎ取り蓋４５は、内側パッケージ２のもぎ取りトップ部分３１に強粘着のりでのり付けされた（又は熱シールされた）強粘着ステッカー４４で（図２０の実施形態のように）置き換えられる。
【００４２】
上述した巻きたばこのパケット１（及びそのバリエーション）では、もぎ取りトップ部分３１を速く容易に、一回の動作で除去することができ、内側パッケージ２の内側には何ものりは存在しない、ということに注意することが重要である。後者は重要な特徴である可能性がある。それは、ある種ののりは、巻きたばこのあまり近くにあると、巻きたばこの感覚刺激特性にマイナスの影響を及ぼすと考えられるからである。
【００４３】
図２６−２８に示される別の実施形態では、ラッピング材のシート２９（図２８）は２つのもぎ取り線３２ａ，３２ｂを有し、それらはラッピング材のシート２９の対向するエッジにあるもぎ取りトップ部分３１ａ，３１ｂを画定し、これらはラッピング材のシート２９を巻きたばこの一群３０のまわりで知られている仕方で折って内側パッケージ２を形成するときに、（図２７に示されるように）重なる。もぎ取りトップ部分３１ａ，３１ｂは、強粘着のりを用いて互いに一体的にのり付けされ、一方を除去すると他方も除去され、したがって２つのもぎ取りトップ部分３１ａ，３１ｂを一回の動作で除去できる。
【００４４】
図２６の実施形態では、外側パッケージ３には何ももぎ取り蓋４５がない。図２９のバリエーションでは、外側パッケージ３には、もぎ取りトップ部分３１ａ，３１ｂを部分的に覆うもぎ取り蓋４５がある、それはもぎ取りトップ部分３１ａ，３１ｂとは別である（すなわち、のり付けされていない）、もぎ取りトップ部分３１ａ，３１ｂの一方だけに強粘着のりでのり付けされる（この場合、もぎ取りトップ部分３１ａ，３１ｂは互いに強粘着のりでのり付けされる）、又はもぎ取りトップ部分３１ａ，３１ｂの両方に強粘着のりでのり付けされる（この場合、もぎ取りトップ部分３１ａ，３１ｂは互いに強粘着のりでのり付けされるか、又は全くのり付けされない）。もぎ取り蓋４５がもぎ取りトップ部分３１ａ，３１ｂの少なくとも一方に強粘着のりでのり付けされる場合、もぎ取り蓋４５ともぎ取りトップ部分３１ａ，３１ｂの両方をユーザーは同時に除去することができる。
【００４５】
図２９の実施形態では、外側パッケージ３にはもぎ取りトップ部分３１ａ，３１ｂを部分的に覆うもぎ取り蓋４５がある。図３０のバリエーションでは、もぎ取り蓋４５は、もぎ取りトップ部分３１ａ，３１ｂの少なくとも一方に強粘着のり（すなわち、パーツを引き裂くしかない永久のり）でのり付けされたもぎ取りステッカー４４に置き換えられる。もっと詳しく言うと、もぎ取りステッカー４４は、もぎ取りトップ部分３１ａ，３１ｂの一方だけに強粘着のりでのり付けされる（この場合、もぎ取りトップ部分３１ａ，３１ｂは互いに強粘着のりでのり付けしなければならない）、又はもぎ取りトップ部分３１ａ，３１ｂの両方に強粘着のりでのり付けされる（この場合、もぎ取りトップ部分３１ａ，３１ｂは互いに強粘着のりでのり付けされるか、又は全くのり付けされない）。この実施形態では、ユーザーはもぎ取りステッカー４４ともぎ取りトップ部分３１ａ，３１ｂの両方を同時に除去できる。
【００４６】
図３１と３２の巻きたばこパケット１は、内側容器４が外側容器５に対して動く仕方が図１と２のものと実質的に異なる；図１と２の巻きたばこパケット１では、内側容器４が外側容器５に対して平行に移動するが、図３１と３２の巻きたばこパケット１では、内側容器４は外側容器５に対して回転する。
【００４７】
図３１と３２の巻きたばこパケット１と図１と２の巻きたばこパケット１は良く似ているので、図３１と３２の巻きたばこパケット１の詳細な記述について読者は図１と２の巻きたばこパケット１についての上の記述を参照されたい。
【００４８】
図３１と３２の巻きたばこパケット１では、外側パッケージ３，詳しくは外側パッケージ３の内側容器４は、もぎ取り蓋４５を有し（図３２）、巻きたばこのパケット１のシールを破るときにそれを除去しなければならない。そしてそれが内側容器４の取り出し開口１０の少なくとも一部を（したがって内側パッケージ２のトップ壁面を）覆っている。好ましくは、もぎ取り蓋４５は、内側パッケージ２のトップ壁面の一部を成す内側パッケージ２のもぎ取りトップ部分３１を覆う。内側パッケージ２のもぎ取りトップ部分３１は上述のように形成される（すなわち、図７にはっきりと示されるようにラッピング材のシート２９のタブ３３を含む又は含まない継ぎ目なしの単一部分によって）、又は通常のタイプのものである、すなわちラッピング材のシート２９の２つの別々の重なる部分３１ａ，３１ｂによって画定される（図２７と２８に示されるように）。この場合、内側パッケージ２のもぎ取りトップ部分３１を形成する２つの別々の部分３１ａ，３１ｂは互いにのり付けされる、又はのり付けされない。
【００４９】
図３３は、内側容器４からもぎ取り蓋４５が除去された巻きたばこのパケット１を示し、内側パッケージ２のトップ壁面の全体をはっきりと示しており、そこにもぎ取りトップ部分３１が形成されている。
【００５０】
図３１−３３の実施形態では、内側容器４にはトップ壁面７は何もなく、内側容器４からもぎ取り蓋４５が除去されると、内側パッケージ２のトップ壁面が完全に露出する（図３３に示されるように）。
【００５１】
もぎ取り蓋４５はＵ字状であり、内側パッケージ２のトップ壁面を覆う（そしてもしあれば、内側容器４のトップ壁面７の自然な延長になる）トップ壁４６と；内側パッケージ２の大きな側壁の一部を覆う、そして内側容器４の大きな側壁８と同一平面にある２つの側壁４７を含む。もぎ取り蓋４５（すなわち、もぎ取り蓋４５のトップ壁面４６と側壁４７）はもぎ取り線４８に沿って内側容器４の残りの部分と結合している。詳しく言うと、もぎ取り蓋４５のトップ壁面４６は内側容器４に結合していない；もぎ取り蓋４５の各側壁４７は、一本のＵ字状もぎ取り線４８に沿って（図３４のブランク１９に示されるように）又は側壁４７の対向する側の２つのもぎ取り線４８に沿って、それぞれの大きい側壁８に結合している。
【００５２】
ある好ましい実施形態では、取り出し開口１０の全体を覆うのでなく、もぎ取り蓋４５は取り出し開口１０の少なくとも一部を覆われないままに残してグリップを形成し、それをつかんでもぎ取り蓋４５を容易に除去できるようにする。もぎ取り蓋４５で覆われずに残される取り出し開口１０の各部分は好ましくは内側容器４のそれぞれの大きな側壁８上にある。このことは、もぎ取り蓋４５が内側容器４の２つの大きな側壁８上に対称に位置する取り出し開口１０の別々の部分を覆われないままに残す、又は内側容器４のひとつの大きな側壁８上に非対称に位置する取り出し開口１０のひとつの部分だけを覆われないままに残す（図３４のブランク１９に見られるように）ということを意味する。
【００５３】
図３４のブランク１９に示されるように、もぎ取り蓋４５は２つの別々のパネル４５’、４５”を重ねてのり付けすることによって形成される。パネル４５’は横方向折り線２２によって分離される２つの部分４６’，４７’を含み；パネル４５”は横方向折り線２２によって分離される２つの部分４６”，４７”を含む；そして、パネル４５’の部分４６’はパネル４５”の部分４６”に重ねられてのり付けされ蓋４５のトップ壁面４６を形成する。
【００５４】
ある好ましい実施形態では、もぎ取り蓋４５は内側パッケージ２のもぎ取りトップ部分３１にどんな形でも固定（のり付け）されない。このことは、いったんもぎ取り蓋４５が除去されると、下にある内側パッケージ２のもぎ取りトップ部分３１は完全なままである（図３３に示されるように）ということを意味する。別の実施形態では、もぎ取り蓋４５は内側パッケージ２のもぎ取りトップ部分３１に、強粘着のり（すなわち、パーツを引き裂くしかない永久のり）を用いてのり付けされ（すなわち、もぎ取り蓋４５の底面がもぎ取りトップ部分３１にのり付けされ）、ユーザーはもぎ取りトップ部分３１ともぎ取り蓋４５の両方を同時に除去することができる。
【００５５】
もぎ取り蓋４５は内側パッケージ２のもぎ取りトップ部分３１を内側パッケージ２のトップ壁面に圧しつけて保持し、もぎ取りトップ部分３１の各部分が内側パッケージ２の残りの部分から持ち上げられて外側容器５の内面に突き当たって、巻きたばこのパケット１のシールを破ることを（ラッピング材を裂くことなしに、不可能ではないとしても）難しくすることを阻止する。（いったんシールが破られれば、もぎ取りトップ部分３１は除去されているので、この問題は、巻きたばこのパケット１のシールを破るときだけにあてはまる）。
【００５６】
図３４は、図３１−３３の巻きたばこのパケット１の内側容器４を形成するためのブランク１９を示す。図３４のブランク１９は、図４のブランク１９と同一である−したがって、図３４のブランク１９の詳しい記述に関して読者は図４のブランク１９の記述を参照されたい−ただし、明らかに、もぎ取り蓋４５を形成するためのパネル４５’、４５”を除く。
【００５７】
図３５は、図３１−３３の巻きたばこのパケット１の外側容器５を形成するためのブランク２０を示す。図３５のブランク２０は、図５のブランク２０と同一である−したがって、図３５のブランク２０の詳しい記述に関して読者は図５のブランク２０の記述を参照されたい−ただし、内側容器４が外側容器５に対して回る中心となるヒンジ４９を画定する折り線を含むウイング１２’、１２”を除く。
【００５８】
図３６と３７は、図３１−３３と同様の（すなわち、同じ設計のもぎ取り蓋４５を含む）巻きたばこのパケット１を形成するためのブランク１９と２０をそれぞれ示しているが、この場合、容器４は容器５に対して平行移動する。
【００５９】
ある実施形態では、内側ラッピング材のシート２９はホイルで作られる；内側パッケージ２は、のり付け、あるいは熱シール、による安定化は全くなされない；（各）もぎ取り線３２は、一連の間隔をあけた（普通、機械的にパンチされた）貫通孔によって画定される。別の実施形態では、内側ラッピング材のシート２９は熱シール多層材料で作られ、内側パッケージ２は熱シールによって安定化される（すなわち、内側ラッピング材のシート２９の重ねられた部分が折られた後に熱シールされる）。熱シールで安定化させることでそれを封止することが可能になる。この場合、（各）もぎ取り線は、内側ラッピング材のシート２９と直角方向に厚さの一部に貫通する部分切断（例えば、レーザービームによる）で画定される（もっと詳しく言うと、部分切断は内側パッケージ２を外気から封止するように設計されたプラスチック・バリア層を貫通しない）。
【００６０】
説明したすべての実施形態で、内側パッケージ２は熱シールによって封止でき、（各）もぎ取り線３２は、内側パッケージ２を外気から封止するように設計されたプラスチック・バリア層を貫通しない部分切断によって画定される。これは特に図２３−２５の実施形態にあてはまり、これは熱シールで封止される内側パッケージ２を用いるのに特に好適であり、もぎ取り線３２はプラスチック・バリア層を貫通しない部分切断によって画定される。
【００６１】
上述した実施形態は、スライドオープンで動く、剛い、スライドオープン型の巻きたばこパケット１に関するものであるが、他のタイプの剛い巻きたばこパケットも用いることができる、例えば、特許文献１の国際公開第２００６０２１５８１号パンフレットに記載されている剛い、スイングオープン型の巻きたばこパケット、国際公開第２００８０５３３２０号パンフレット又は独国特許出願公開第３６２７４４０号明細書に記載されている剛い、ヒンジ蓋タイプの巻きたばこパケット、などである。
【図１】
0005643310.tif 000002
【図２】
0005643310.tif 000003
【図３】
0005643310.tif 000004
【図４】
0005643310.tif 000005
【図５】
0005643310.tif 000006
【図６】
0005643310.tif 000007
【図７】
0005643310.tif 000008
【図８】
0005643310.tif 000009
【図９】
0005643310.tif 000010
【図１０】
0005643310.tif 000011
【図１１】
0005643310.tif 000012
【図１２】
0005643310.tif 000013
【図１３】
0005643310.tif 000014
【図１４】
0005643310.tif 000015
【図１５】
0005643310.tif 000016
【図１６】
0005643310.tif 000017
【図１７】
0005643310.tif 000018
【図１８】
0005643310.tif 000019
【図１９】
0005643310.tif 000020
【図２０】
0005643310.tif 000021
【図２１】
0005643310.tif 000022
【図２２】
0005643310.tif 000023
【図２３ａ】
0005643310.tif 000024
【図２３ｂ】
0005643310.tif 000025
【図２４】
0005643310.tif 000026
【図２５】
0005643310.tif 000027
【図２６】
0005643310.tif 000028
【図２７】
0005643310.tif 000029
【図２８】
0005643310.tif 000030
【図２９】
0005643310.tif 000031
【図３０】
0005643310.tif 000032
【図３１】
0005643310.tif 000033
【図３２】
0005643310.tif 000034
【図３３】
0005643310.tif 000035
【図３４】
0005643310.tif 000036
【図３５】
0005643310.tif 000037
【図３６】
0005643310.tif 000038
【図３７】
0005643310.tif 000039